(57)【要約】【課題】本発明は、冷凍装置が傾いた状態で据付されたり、脆弱な架台に据付けられ、冷凍装置の運転で大きく揺れた場合であっても、Ｌ字型熱交換器に加わる力を分散し、Ｌ字型熱交換器のパイプ配管等へのダメージを軽減することを課題とする。【解決手段】本発明の冷凍装置は、Ｌ字状熱交換器と、Ｌ字状熱交換器に送風する送風ファンと、下端側をソコベースに固定され筐体の前面側に位置するシュラウドクミと、シュラウドクミと略Ｌ字状熱交換器との間に位置し送風ファン及び送風ファンを駆動する送風ファンモータを保持するとともにシュラウドクミに対して送風ファン及び送風ファンモータを挟み込むように下端側がソコベースに保持され上端側がシュラウドクミに保持されたモータークランプと、モータークランプの上端とＬ字状熱交換器の上端とを保持する補強ステーと、を備える。【選択図】図１
2014194305.tif 000002
【特許請求の範囲】
【請求項１】
筐体と、
前記筐体の底面に位置するソコベースと、
下端側を前記ソコベースに保持された圧縮機と、
下端側を前記ソコベースに保持され、前記筐体の背面側から側面側に向かって略Ｌ字状に構成されるとともに、前記圧縮機で圧縮された冷媒を凝縮させるＬ字状熱交換器と、
前記Ｌ字状熱交換器に送風する送風ファンと、
下端側を前記ソコベースに固定され、前記筐体の前面側に位置するシュラウドクミと、
前記シュラウドクミと前記略Ｌ字状熱交換器との間に位置し、前記送風ファン及び前記送風ファンを駆動する送風ファンモータを保持するとともに、前記シュラウドクミに対して前記送風ファン及び前記送風ファンモータを挟み込むように下端側が前記ソコベースに保持され上端側が前記シュラウドクミに保持されたモータークランプと、
前記モータークランプの上端と前記Ｌ字状熱交換器の上端とを保持する補強ステーと、
を備える冷凍装置。
【請求項２】
請求項１において、
前記補強ステーは、台板と、前記台板からそれぞれ並行して立設する第１保持部及び第２保持部と、を有し、
前記台板を前記モータークランプに固定することにより、前記補強ステーが前記モータークランプの上端を保持し、
前記第１保持部及び前記第２保持部により前記Ｌ字状熱交換器上端部を挟み込むことにより、前記補強ステーが前記Ｌ字状熱交換器の上端を保持する冷凍装置。
【請求項３】
請求項２において、
前記第１保持部及び前記第２保持部の先端部がそれぞれ対向する前記第２保持部及び前記第１保持部の先端部から遠ざかるように形成された冷凍装置。
【発明の詳細な説明】
【技術分野】
【０００１】
本発明は冷凍装置に関する。
【背景技術】
【０００２】
横吹き構造冷凍装置のＬ字型熱交換器の固定は、冷凍装置の構成部品であるシキリイタ、シュラウドクミ、アトカバとＬ字型熱交換器のサイドプレートをネジ止めし、ソコベースとウエカバにはさまれる構造になっている。また、シュラウドにはプロペラファンと送風機用モータが取付けられたモータークランプが固定されている。
【先行技術文献】
【特許文献】
【０００３】
【特許文献１】特開２００９−２８１５９５号公報
【発明の概要】
【発明が解決しようとする課題】
【０００４】
横吹き構造冷凍装置のＬ字型熱交換器の固定は、冷凍装置の構成部品であるシキリイタ、シュラウド、アトカバとＬ字型熱交換器のサイドプレートをネジ止めし、ソコベースとウエカバにはさまれる形で固定している。また、シュラウドにはプロペラファンと送風機用モータが取付けられたモータークランプが固定されている。そのため、製品が傾いた状態で据付されたり、脆弱な架台に据付けられ、冷凍装置の運転で大きく揺れた時、一緒にモータークランプも傾いたり、揺れたりし、Ｌ字型熱交換器とシュラウドとの結合部に大きな力が働き、シュラウドに加わった力がサイドプレートに加わり、Ｌ字型熱交換器の配管にダメージを与えることがある。
【０００５】
本発明は、冷凍装置が傾いた状態で据付されたり、脆弱な架台に据付けられ、冷凍装置の運転で大きく揺れた場合であっても、Ｌ字型熱交換器に加わる力を分散し、Ｌ字型熱交換器のパイプ配管等へのダメージを軽減することを課題とする。
【課題を解決するための手段】
【０００６】
本発明の冷凍装置は、筐体と、筐体の底面に位置するソコベースと、下端側をソコベースに保持された圧縮機と、下端側をソコベースに保持され、筐体の背面側から側面側に向かって略Ｌ字状に構成されるとともに、圧縮機で圧縮された冷媒を凝縮させるＬ字状熱交換器と、Ｌ字状熱交換器に送風する送風ファンと、下端側をソコベースに固定され筐体の前面側に位置するシュラウドクミと、シュラウドクミと略Ｌ字状熱交換器との間に位置し送風ファン及び送風ファンを駆動する送風ファンモータを保持するとともにシュラウドクミに対して送風ファン及び送風ファンモータを挟み込むように下端側がソコベースに保持され上端側がシュラウドクミに保持されたモータークランプと、モータークランプの上端とＬ字状熱交換器の上端とを保持する補強ステーと、を備える。
【発明の効果】
【０００７】
本発明によれば、冷凍装置の構造でモータークランプと熱交換器を補強ステーにより固定することで、製品据付時の傾きや脆弱な架台による製品の揺れなどの影響でサイドプレートに力が集中せずに補強ステーに分散され、熱交換器のサイドプレートから熱交換器配管のあたえる影響を軽減できる。
【図面の簡単な説明】
【０００８】
【図１】本発明における冷凍装置の構造図を示す。
【図２】本発明における冷凍装置の鳥瞰図を示す。
【図３】本発明に置いて追加する補強ステーを示す。
【発明を実施するための形態】
【０００９】
本実施例の冷凍装置は、筐体と、筐体の底面に位置するソコベースと、下端側をソコベースに保持された圧縮機と、下端側をソコベースに保持され、筐体の背面側から側面側に向かって略Ｌ字状に構成されるとともに、圧縮機で圧縮された冷媒を凝縮させるＬ字状熱交換器と、Ｌ字状熱交換器に送風する送風ファンと、下端側をソコベースに固定され筐体の前面側に位置するシュラウドクミと、シュラウドクミと略Ｌ字状熱交換器との間に位置し送風ファン及び送風ファンを駆動する送風ファンモータを保持するとともにシュラウドクミに対して送風ファン及び送風ファンモータを挟み込むように下端側がソコベースに保持され上端側がシュラウドクミに保持されたモータークランプと、モータークランプの上端とＬ字状熱交換器の上端とを保持する補強ステーと、を備える。このような構成により
冷凍装置の構造でモータークランプと熱交換器を補強ステーにより固定することで、製品据付時の傾きや脆弱な架台による製品の揺れなどの影響でサイドプレートに力が集中せずに補強ステーに分散され、熱交換器のサイドプレートから熱交換器配管のあたえる影響を軽減できる。
【００１０】
また、本実施例の冷凍装置において、補強ステーは台板と台板からそれぞれ並行して立設する第１保持部及び第２保持部とを有し（つまり、台板及び第１保持部及び第２保持部により断面が略「コ」の字状に形成される）、台板をモータークランプに固定することにより補強ステーがモータークランプの上端を保持し、第１保持部及び第２保持部によりＬ字状熱交換器上端部を挟み込むことにより補強ステーがＬ字状熱交換器の上端を保持する。台板をモータークランプに固定することにより補強ステーがモータークランプの上端を保持し、第１保持部及び第２保持部によりＬ字状熱交換器上端部を挟み込むことにより補強ステーがＬ字状熱交換器の上端を保持するので、Ｌ字状熱交換器等を据え付けた後でも、簡易に補強ステーを取り付けることができる。
【００１１】
さらに、本実施例の冷凍装置において、補強ステーの第１保持部及び第２保持部の先端部はそれぞれ対向する第２保持部及び第１保持部の先端部から遠ざかるように形成される（つまり、補強ステーの第１保持部及び第２保持部の先端部により断面が略「ハ」の字状に形成される）。補強ステーの第１保持部及び第２保持部の先端部により断面が略「ハ」の字状に形成されるので、第１保持部及び第２保持部によりＬ字状熱交換器上端部を挟み込む際の作業が容易となる。
【００１２】
本実施例の冷凍層の詳細について図１〜図３を用いて説明する説明する。
【００１３】
横吹き構造冷凍装置の筐体は図２に示すＬ字型熱交換器１、ソコベース２、シュラウドクミ３、ワキカバ４、サービスカバ５、アトカバ６、ウエカバ７、シキリイタ８、送風機９により構成されている。Ｌ字型熱交換器１がソコベース２の上に搭載され、Ｌ字型熱交換器１の両端サイドプレート２ヶ所で固定している。サイドプレート１ａはアトカバ６とシキリイタ８とＬ字型熱交換器１に接続される配管により固定されている。サイドプレート１ｂはワキカバ４により固定されている。Ｌ字型熱交換器１を固定しているアトカバ６、シキリイタ８、ワキカバ４がウエカバ７、ソコベース２、シュラウドクミ３に固定され、モータークランプ９ａ、ファンモータ９ｂ、プロペラファン９ｃからなる送風機９がソコベース２とシュラウドクミ３に固定され、Ｌ字型熱交換器１と送風機９はウエカバ７に密着させ、冷凍装置の熱交換器部分を構成している。
【００１４】
通常の据付では、冷凍装置を水平に据付、基礎も運転などで揺れない用に基礎工事をしていますが、現状、限られた据付場所に据付けるため、冷凍装置が傾いた据付架台に据付けたり、脆弱な架台に据付けたりされるため、ある程度傾き、揺れは冷凍装置で許容しなければならない。
【００１５】
現状の構造ではＬ字型熱交換器１はＬ字で重量もあるため、冷凍装置が傾いた角度傾く、送風機９、シュラウドクミ３はそれぞれの自重により更に傾き、シュラウドクミ３と固定しているワキカバ４、Ｌ字型熱交換器１のサイドプレート１ｂも冷凍装置の傾き角度以上に傾く。サイドプレート１ｂが傾こうとする力がＬ字型熱交換器１のＵパイプ配管に加わり、配管の変更や運転時の振動により熱交換器のＵパイプ配管とサイドプレート９ｂと擦れにより、熱交換器のＵパイプ配管をいためてしまう。
【００１６】
次にこれら従来の課題を解決することができる本発明の実施例１を説明する。従来の構造に対してモータークランプ９ａとＬ字型熱交換器１を固定するための補強ステー１０を追加する。
【００１７】
補強ステー１０は図３に示すように「コ」の字型板金とモータークランプ９ａに取付けるためのステーで構成され、Ｌ字型熱交換器1にネジ止めなどの固定方法使用せずに固定でき、Ｌ字型熱交換器に差し込む構造となっている。そのため、熱交換器に固定用のサイドプレートを追加する必要なく、製品完成後でも取付が可能である。
【００１８】
また、「コ」の字型の板金の差込み部を「ハ」の字型に広げることで熱交換器に差込み易く、作業性を改善できる。
【００１９】
Ｌ字型熱交換器１に補強ステー１０で固定することで、コの字型の板金でモータークランプが前後に傾いてもＬ字型熱交換器１でも支えられるため、シュラウドクミ３、ワキカバ４が傾かず、Ｌ字型熱交換器１のサイドプレート１ｂがＬ字型熱交換器のＵパイプ配管を加わる力が軽減でき、Ｌ字型熱交換器の配管がいたみ難くなる。
また、Ｌ字型熱交換器１、補強ステー１０、モータークランプ９ａ、シュラウドクミ３と上面での固定がされるため、冷凍装置そのものの強度アップを図ることができる。
【符号の説明】
【００２０】
１：Ｌ字型熱交換器、２：ソコベース、３：シュラウドクミ、４：ワキカバ、５：サービスカバ、６：アトカバ、７：ウエカバ、８：シキリイタ、９：送風機、９ａ：モータークランプ、９ｂ：ファンモータ、９ｃ：プロペラファン、１０：補強ステー、１０ａ：台板、１０ｂ：第１保持部、１０ｃ：第２保持部
【図１】
2014194305.tif 000003
【図２】
2014194305.tif 000004
【図３】
2014194305.tif 000005